(57)【特許請求の範囲】
【請求項１】
建物の上部の階より各階の床面に形成された貫通孔を通過して下部階へ吊り下げ状態で配線される、各階に複数本のＦＯケーブルまたはターミネーションケーブルをコネクタでそれぞれ接続することができる光ファイバー心線に接続された分岐部が設けられた光通信幹線ケーブルを建物に設置する光通信幹線ケーブルの設置工程と、この光通信幹線ケーブルの設置工程後に貫通孔に貫通スリーブを上下階と連通するように挿入して、該貫通孔を耐火充填材で充填して、またはコンクリートで埋め戻して閉塞する貫通孔閉塞工程と、前記各階の分岐部のコネクタにそれぞれ接続されたＦＯケーブルまたはターミネーションケーブルのコネクタを各階に設置された光配線ボックスのコネクタに接続するＦＯケーブルまたはターミネーションケーブルの配線工程と、各階のＦＯケーブルを需要変動に応じて上部階あるいは下部階へ前記貫通スリーブを通して該階の光配線ボックスのコネクタに接続する需要度変動ＦＯケーブルの配線工程とを含むことを特徴とする光通信ケーブルの配線方法。
【請求項２】
建物の上部の階より各階の床面に形成された貫通孔を通過して下部階へ吊り下げ状態で配線される、１階おきに複数本のＦＯケーブルまたはターミネーションケーブルをコネクタでそれぞれ接続することができる光ファイバー心線に接続された分岐部が設けられた光通信幹線ケーブルを建物に設置する光通信幹線ケーブルの設置工程と、この光通信幹線ケーブルの設置工程後に貫通孔に貫通スリーブを上下階と連通するように挿入して、該貫通孔を耐火充填材で充填して、またはコンクリートで埋め戻して閉塞する貫通孔閉塞工程と、前記１階おきの分岐部のコネクタにそれぞれ接続されたＦＯケーブルまたはターミネーションケーブルのコネクタをその階に設置された光配線ボックスおよび前記貫通スリーブを通過させて上階または下階の光配線ボックスのコネクタに接続するＦＯケーブルまたはターミネーションケーブルの配線工程と、各階のＦＯケーブルを需要変動に応じて上部階または下部階へ前記貫通スリーブを通して該階の光配線ボックスのコネクタに接続する需要度変動ＦＯケーブルの配線工程とを含むことを特徴とする光通信ケーブルの配線方法。
【発明の詳細な説明】
【０００１】
【発明の属する技術分野】
本発明はオフィスビル等の建物に光通信ケーブルを設置する光通信ケーブルの配線方法に関する。
【０００２】
【従来の技術】
従来、オフィスビル等の建物には地下に設けた外部からの光通信幹線ケーブルに接続される構内光キャビネットＰＴに接続された光通信幹線ケーブルを所定の階に設置した構内光キャビネットＰＤに融着接続するとともに、該構内光キャビネットＰＤより、その階および上下の階に光ケーブルを用いて、それぞれの階に設置された回線接続装置に接続している。
【０００３】
【発明が解決しようとする課題】
従来のオフィスビル等の建物への光通信ケーブル配線方法では光通信ケーブルと所定の階に設置した構内光キャビネットＰＤとを融着接続しなければならず、その作業が大変で、手数がかかるという欠点があった。
また、各階にはあらかじめ設定された通信回路しか配線されていないため、所定の階にだけ需要が集中した場合、その配線のし直し作業が大変で、コスト高になるという欠点があった。
【０００４】
本発明は以上のような従来の欠点に鑑み、融着接続等の大変な作業は現場で行なわなくても、光通信ケーブルの配線を行なうことができるとともに、各階の需要が変化した場合、簡単な作業で上・下部の階で通信回線の融通を行なうことができる光通信ケーブルの配線方法および光通信幹線ケーブルを提供することを目的としている。
【０００５】
本発明の前記ならびにそのほかの目的と新規な特徴は次の説明を添付図面と照らし合わせて読むと、より完全に明かになるであろう。
ただし、図面はもっぱら解説のためのものであって、本発明の技術的範囲を限定するものではない。
【０００６】
【課題を解決するための手段】
上記目的を達成するために、本発明は建物の上部の階より各階の床面に形成された貫通孔を通過して下部階へ吊り下げ状態で配線される、各階に複数本のＦＯケーブルまたはターミネーションケーブルをコネクタでそれぞれ接続することができる光ファイバー心線に接続された分岐部が設けられた光通信幹線ケーブルを建物に設置する光通信幹線ケーブルの設置工程と、この光通信幹線ケーブルの設置工程後に貫通孔に貫通スリーブを上下階と連通するように挿入して、該貫通孔を耐火充填材で充填して、またはコンクリートで埋め戻して閉塞する貫通孔閉塞工程と、前記各階の分岐部のコネクタにそれぞれ接続されたＦＯケーブルまたはターミネーションケーブルのコネクタを各階に設置された光配線ボックスのコネクタに接続するＦＯケーブルまたはターミネーションケーブルの配線工程と、各階のＦＯケーブルを需要変動に応じて上部階あるいは下部階へ前記貫通スリーブを通して該階の光配線ボックスのコネクタに接続する需要度変動ＦＯケーブルの配線工程とで光通信ケーブルの配線方法を構成している。
【０００７】
また、本発明は建物の上部の階より各階の床面に形成された貫通孔を通過して下部階へ吊り下げ状態で配線される、１階おきに複数本のＦＯケーブルまたはターミネーションケーブルをコネクタでそれぞれ接続することができる光ファイバー心線に接続された分岐部が設けられた光通信幹線ケーブルを建物に設置する光通信幹線ケーブルの設置工程と、この光通信幹線ケーブルの設置工程後に貫通孔に貫通スリーブを上下階と連通するように挿入して、該貫通孔を耐火充填材で充填して、またはコンクリートで埋め戻して閉塞する貫通孔閉塞工程と、前記１階おきの分岐部のコネクタにそれぞれ接続されたＦＯケーブルまたはターミネーションケーブルのコネクタをその階に設置された光配線ボックスおよび前記貫通スリーブを通過させて上階または下階の光配線ボックスのコネクタに接続するＦＯケーブルまたはターミネーションケーブルの配線工程と、各階のＦＯケーブルを需要変動に応じて上部階または下部階へ前記貫通スリーブを通して該階の光配線ボックスのコネクタに接続する需要度変動ＦＯケーブルの配線工程とで光通信ケーブルの配線方法を構成している。
【０００８】
【発明の実施の形態】
以下、図面に示す実施の形態により、本発明を詳細に説明する。
【０００９】
図１ないし図１３に示す本発明の第１の実施の形態において、１はオフィスビル等の建物２の上部の階より各階の床面に形成された貫通孔３、３、３、３、３を通過して下部階へ吊り下げ状態で光通信幹線ケーブル４を設置する光通信幹線ケーブルの設置工程で、この光通信幹線ケーブルの設置工程１は前記光通信幹線ケーブル４の上端部を下部階、本発明の実施の形態では地下１階５より各階に形成された貫通孔３、３、３、３、３を通過させる吊り上げ作業を行ない、上端部を上部の階、本発明の実施の形態では５階６の天井部位に固定された取付け金具７に取付ける作業によって行なう。
【００１０】
前記光通信幹線ケーブルの設置工程１で使用される光通信幹線ケーブル４は、図３に示すようにあらかじめ配線される現場に合うように設定されたものが工場で製造されたもので、上端部に図４に示すように前記取付け金具７に取付けられるケーブル吊り具８が取付けられ、下端部が前記地下１階５に設置された、外部からの光通信幹線ケーブル９が接続された構内光キャビネットＰＴに接続される図５に示すように光ファイバー心線、本発明の実施の形態では４心テープ光心線１０を２０個設けたテープスロット型光通信幹線ケーブル本体１１と、この光通信幹線ケーブル本体１１の各階に位置する部位にそれぞれ複数本、本発明の実施の形態では４本のＦＯケーブルやターミネーションケーブル、本発明の実施の形態ではＦＯケーブル１２、１２、１２、１２にＭＴ、ＭＵ、ＳＣ等のコネクタ、本発明の実施の形態ではＭＴコネクタ１３、１３、１３、１３でそれぞれ接続することができるように前記４心テープ光心線１０、１０、１０、１０に接続された５個の分岐部１４、１４、１４、１４、１４と、この５個の分岐部１４、１４、１４、１４、１４のＭＴコネクタ１３、１３、１３、１３が取付けられた４心テープ光心線１０、１０、１０、１０をループ状に巻き付け支持する４心テープ光心線支持部１５および該ＭＴコネクタ１３、１３、１３、１３に接続されたＦＯケーブル１２、１２、１２、１２を外部へ突出するように該分岐部１４、１４、１４、１４、１４を開閉可能に覆うことができる前記光通信幹線ケーブル本体１１に取付けられた開閉蓋１６を有する５個の分岐ケース体１７、１７、１７、１７、１７とで構成されている。
【００１１】
１８は図６および図７に示すように、前記光通信幹線ケーブルの設置工程１後に各階の貫通孔３、３、３、３、３を閉塞する貫通孔閉塞工程で、この貫通孔閉塞工程１８は各階の貫通孔３、３、３、３、３に２分割されたスラブポット１９、１９、１９、１９、１９を設置するとともに、上下階と連通するように下端部にキャップ２０、２０が着脱可能に取付けられた貫通スリーブ２１、２１、２１、２１、２１を挿入した後、スラブポット１９、１９、１９、１９、１９内に耐火充填材２２を充填して閉塞したり、コンクリートで埋め戻し等によって閉塞したり、各階の貫通孔３、３、３、３、３に配線用のパイプがすでに設置されている場合には該配線用のパイプをスラブポットの代わりに使用してもよい。
【００１２】
２３は前記各階の分岐部１４、１４、１４、１４、１４の必要とする分のＭＴコネクタ１３、１３、１３、１３と、各階に設置された光配線ボックス２４とを図８に示すＦＯケーブル１２、１２、１２、１２で接続するＦＯケーブルの配線工程で、このＦＯケーブルの配線工程２３は図９および図１０に示すようにＦＯケーブル１２のＭＴコネクタ２５が設けられた一端部を、前記分岐部１４、１４、１４、１４のＭＴコネクタ１３に接続するとともに、他端部のＳＣコネクタ２６、２６、２６、２６を前記光配線ボックス２４のＳＣコネクタ２７、２７、２７、２７にそれぞれ接続することにより行なう。
【００１３】
２８は図１１に示すように、ある階の光通信回線が足りなくなった場合に行なう需要変動ＦＯケーブルの配線工程で、この需要変動ＦＯケーブルの配線工程２８は光通信回線の足りなくなった階の上下部の階で使用されていないＭＴコネクタ１３がある場合、使用されていない階と使用したい階とを連通する貫通スリーブ２１のキャップ２０、２０を外し、接続するＦＯケーブル１２Ａを通過させ、使用されていないＭＴコネクタ１３に接続するＦＯケーブル１２ＡのＭＴコネクタ２５を接続するとともに、接続するＦＯケーブル１２ＡのＳＣコネクタ２６、２６、２６、２６を光配線ボックス２４あるいは増設した光配線ボックス２４のＳＣコネクタ２７、２７、２７、２７に接続して行なう。
【００１４】
前記分岐ケース体１７は図１２および図１３に示すように、前記光通信幹線ケーブル本体１１を通過させることができる、ほぼ断面半円弧形状の固定分岐ケース体２９と、この固定分岐ケース体２９の下部寄りの内壁面に形成された前記分岐部１４の前記光通信幹線ケーブル本体１１に固定されたスベリ止め材３０を支持する支持部３１と、前記固定分岐ケース体２９の下部内壁面に形成されたエポキシパテ３２が充填されるエポキシパテ充填室３３と、前記固定分岐ケース体２９の開口部３４を覆う複数本のビス３５によって該固定分岐ケース体２９に固定される支持板３６と、この支持板３６の上部寄りの部位に形成された貫通孔３７を通過した４心テープ光心線１０、１０、１０、１０をループ状に巻き付け支持する４心テープ光心線支持部１５と、前記支持板３６に前面へ突出するように一体形成された複数本の補強支柱３８、３８、３８、３８と、前記支持板３６の前面を覆う複数本のビス３９で着脱可能に取付けられる開閉蓋１６と、前記固定分岐ケース体２９の上部前面を覆うように複数本のビス４０で取付けられる上部カバー４１とで構成されている。
【００１５】
上記の光通信ケーブルの配線方法では、あらかじめ配線される現場に合うように設計された光通信幹線ケーブル４を工場で製造し、現場へ運んで光通信幹線ケーブルの設置工程１を行なった後、貫通孔閉塞工程１８、現場でのワンタッチ接続が行なえるＦＯケーブルの配線工程２３で行なえるので、配線作業が誰でもができ、簡単な操作で、短時間に行なうことができる。
【００１６】
【発明の異なる実施の形態】
次に、図１４ないし図３４に示す本発明の異なる実施の形態につき説明する。なお、これらの本発明の異なる実施の形態の説明に当って、前記本発明の第１の実施の形態と同一構成部分には同一符号を付して重複する説明を省略する。
【００１７】
図１４ないし図１６に示す本発明の第２の実施の形態において、前記本発明の第１の実施の形態と主に異なる点は、各階の貫通孔３、３、３、３、３を２分割されたスラブポット１９と耐火充填材２２とで閉塞する貫通孔閉塞工程１８Ａを行なった点で、このような貫通孔閉塞工程１８Ａを行なって貫通孔３を閉塞した場合、確実に上下階を閉塞することができるが、需要変動時にはスラブポット１９内の充填材２２を除去して貫通スリーブ２１を使用することにより、前記本発明の第１の実施の形態よりもわずかに手間がかかるが、それ以外は同様な作用効果が得られる。
【００１８】
図１７ないし図２０に示す本発明の第３の実施の形態において、前記本発明の第１の実施の形態と主に異なる点は、１階おきに分岐部１４が設けられた光通信幹線ケーブル４Ａを用いた光通信幹線ケーブルの設置工程１Ａと、分岐部１４が設けられた階および、その上部あるいは下部の階にＦＯケーブル１２、１２Ａを配線するＦＯケーブル配線工程２３Ａとを行なった点で、このような光通信ケーブルの配線方法を行なうことにより、分岐部１４の数が減少し、コストの低減を図ることができるとともに、前記本発明の第１の実施の形態と同様な作用効果が得られる。
【００１９】
なお、前記本発明の各実施の形態では光通信幹線ケーブル４、４Ａの光通信幹線ケーブル本体１１として、４心テープ光心線１０を２０個用いた８０心のものについて説明したが、本発明はこれに限らず、図２１に示すように４心テープ光心線１０を５個用いた２０心、図２２に示すように４心テープ光心線１０を１０個用いた４０心、図２３に示すように４心テープ光心線１０を１５個用いた６０心、図２４に示すように４心テープ光心線１０を２５個用いた１００心、図２５に示すように４心テープ光心線１０を５０個用いた２００心あるいは必要な数の単心光ファイバー心線を用いた光通信幹線ケーブルを用いてもよい。
また、前記本発明の各実施の形態では４心ＦＯケーブル１２、１２Ａを用いるものについて説明したが、図２６に示すような８心ＦＯケーブル１２Ｂを用いてもよい。
【００２０】
図２７ないし図３０に示す本発明の第４の実施の形態において、前記本発明の第１の実施の形態と主に異なる点は、光通信幹線ケーブルの設置工程１Ａで使用される光通信幹線ケーブル４Ａの各階の分岐部１４、１４、１４、１４、１４に、２分割された内壁面に除去されたシース４２の端部４２ａと係合する係合部４３が形成され、内側端部にコイルスプリング受け部４４が形成されるとともに、外周部に前記ＦＯケーブル１２を挿入させる溝状の通過部４５が形成された一対のホルダー４６、４６と、この一対のホルダー４６、４６のコイルスプリング受け部４４、４４に両端部が支持されたコイルスプリング４７と、このコイルスプリング４７、前記一対のホルダー４６、４６および該一対のホルダー４６、４６近傍のシース４２の外周部を覆う必要に応じて内壁面に接着剤４８が付着された熱収縮チューブ４９とで構成された分岐具５０、５０、５０、５０、５０を用いた点で、このような分岐具５０、５０、５０、５０、５０を用いた光通信幹線ケーブル４Ｂを用いて光通信幹線ケーブルの配線方法を行っても同様な作用効果が得られる。
【００２１】
図３１ないし図３４に示す本発明の第５の実施の形態において、前記本発明の第１の実施の形態と主に異なる点は、光通信幹線ケーブルの設置工程１Ｂで使用される光通信幹線ケーブル４Ｂの各階の分岐部１４、１４、１４、１４、１４に、前記光通信幹線ケーブル本体１１のシース４２除去部に支持させることができる、前記接続光ケーブル５１の融着接続部を収納する収納部５２および前記接続光ケーブル５１のＭＵ型簡易フェルール５３、５３、５３、５３と前記ＦＯケーブル１２のＭＵ型コネクター５４と接続される接続具５５とが設けられたベース板５６と、このベース板５６および該ベース板５６取り付け部位の前記光通信幹線ケーブル本体１１を覆うことができるベース板支持部５７が形成された下端部が順次小径となる箱状のケース体５８と、このケース体５８の開口部５８ａを覆うように複数本のビス５９で該ケース体５８に取付けられる内部に前記ベース板５６を位置させる、下端部が順次小径となるカバー体６０とで構成された分岐具５０Ａ、５０Ａ、５０Ａ、５０Ａ、５０Ａを用いた点で、このような分岐具５０Ａ、５０Ａ、５０Ａ、５０Ａ、５０Ａを用いた光通信幹線ケーブル４Ｃを用いて光通信幹線ケーブルの配線方法を行っても同様な作用効果が得られる。
【００２２】
【発明の効果】
以上の説明から明らかなように、本発明にあっては次に列挙する効果が得られる。
【００２３】
（１） 建物の上部の階より各階の床面に形成された貫通孔を通過して下部階へ吊り下げ状態で配線される、各階に複数本のＦＯケーブルまたはターミネーションケーブルをコネクタでそれぞれ接続することができる光ファイバー心線に接続された分岐部が設けられた光通信幹線ケーブルを建物に設置する光通信幹線ケーブルの設置工程と、この光通信幹線ケーブルの設置工程後に貫通孔に貫通スリーブを上下階と連通するように挿入して、該貫通孔を耐火充填材で充填して、またはコンクリートで埋め戻して閉塞する貫通孔閉塞工程と、前記各階の分岐部のコネクタにそれぞれ接続されたＦＯケーブルまたはターミネーションケーブルのコネクタを各階に設置された光配線ボックスのコネクタに接続するＦＯケーブルまたはターミネーションケーブルの配線工程と、各階のＦＯケーブルを需要変動に応じて上部階あるいは下部階へ前記貫通スリーブを通して該階の光配線ボックスのコネクタに接続する需要度変動ＦＯケーブルの配線工程とからなるので、あらかじめ配線される現場に合うように設計された光通信幹線ケーブルを、工場で製造したものを用いるので、現場での作業が簡単な接続作業だけでできるようにすることができる。
したがって、配線作業が簡単で、短時間で行なうことができる。
【００２４】
（２）前記（１）によって、光通信幹線ケーブルに形成する分岐部は工場で形成したものを使用するので、品質保証が確実にできる。
したがって、光通信ケーブルの、配線に対する信頼性の向上を図ることができる。
【００２５】
（３）前記（１）によって、現場では簡単な光通信幹線ケーブル設置工程、貫通孔閉塞工程、ＦＯケーブルの配線工程でよいので、特殊な光ケーブルの接続作業ができる技術者でなくても行なうことができ、コスト低減を図ることができる。
【００２６】
（４）前記（１）によって、貫通孔閉塞工程で貫通スリーブを上下階と連通するように挿入して行なっているので、需要変動が生じた場合、使用していない階より貫通スリーブを通過させて、使用したい階にＦＯケーブルを配線することができる。
したがって、需要変動が生じた場合の配線が容易で楽に行なうことができる。
【００２７】
（５）請求項２も前記（１）〜（４）と同様な効果が得られる。
【００２８】
【図面の簡単な説明】
【図１】本発明の第１の実施の形態の工程図。
【図２】本発明の第１の実施の形態の光通信幹線ケーブルの設置工程の説明図。
【図３】本発明の第１の実施の形態の光通信幹線ケーブルの説明図。
【図４】本発明の第１の実施の形態の光通信幹線ケーブルの取付け部の説明図。
【図５】本発明の第１の実施の形態の光通信幹線ケーブル本体の説明図。
【図６】本発明の第１の実施の形態の貫通孔閉塞工程の要部詳細説明図。
【図７】本発明の第１の実施の形態の貫通孔閉塞工程の全体説明図。
【図８】本発明の第１の実施の形態のＦＯケーブルの説明図。
【図９】需要変動ＦＯケーブルの配線工程の全体説明図。
【図１０】ＦＯケーブルの配線工程の要部詳細説明図。
【図１１】需要変動ＦＯケーブルの配線工程の説明図。
【図１２】本発明の第１の実施の形態の分岐ケース体の開閉蓋を外した正面図。
【図１３】本発明の第１の実施の形態の分岐ケース体の側面図。
【図１４】本発明の第２の実施の形態の工程図。
【図１５】本発明の第２の実施の形態の貫通孔閉塞工程の説明図。
【図１６】需要変動ＦＯケーブルの配線工程の説明図。
【図１７】本発明の第３の実施の形態の工程図。
【図１８】光通信幹線ケーブルの設置工程の説明図。
【図１９】ＦＯケーブルの配線工程の説明図。
【図２０】需要変動ＦＯケーブルの配線工程の説明図。
【図２１】異なる光通信幹線ケーブル本体の説明図。
【図２２】異なる光通信幹線ケーブル本体の説明図。
【図２３】異なる光通信幹線ケーブル本体の説明図。
【図２４】異なる光通信幹線ケーブル本体の説明図。
【図２５】異なる光通信幹線ケーブル本体の説明図。
【図２６】異なるＦＯケーブルの説明図。
【図２７】本発明の第４の実施の形態の工程図。
【図２８】本発明の第４の実施の形態の光通信幹線ケーブルの説明図。
【図２９】本発明の第４の実施の形態の分岐具の取付け状態の説明図。
【図３０】本発明の第４の実施の形態の分岐具の分解図。
【図３１】本発明の第５の実施の形態の工程図。
【図３２】本発明の第５の実施の形態の光通信幹線ケーブルの説明図。
【図３３】本発明の第５の実施の形態の分岐具の取付け状態の説明図。
【図３４】本発明の第５の実施の形態の分岐具の分解図。
【符号の説明】
１、１Ａ、１Ｂ：光通信幹線ケーブルの設置工程、
２：オフィスビル等の建物、
３：貫通孔、            ４、４Ａ〜４Ｃ：光通信幹線ケーブル、
５：地下１階、          ６：５階、
７：取付け金具、        ８：ケーブル吊り具、
９：外部の光通信幹線ケーブル、
１０：４心テープ光心線、１１：光通信幹線ケーブル本体、
１２、１２Ａ、１２Ｂ：ＦＯケーブル、
１３：ＭＴコネクタ、
１４：分岐部、
１５：４心テープ光心線支持部、
１６：開閉蓋、          １７：分岐ケース体、
１８、１８Ａ：貫通孔閉塞工程、
１９：スラブポット、
２０：キャップ、
２１：貫通スリーブ、
２２：耐火充填材、
２３：ＦＯケーブルの配線工程、
２４：光配線ボックス、  ２５：ＭＴコネクタ、
２６：ＳＣコネクタ、
２７：ＳＣコネクタ、
２８：需要変動ＦＯケーブルの配線工程、
２９：固定分岐ケース体、３０：スベリ止め材、
３１：支持部、          ３２：エポキシパテ、
３３：エポキシパテ充填室、
３４：開口部、          ３５：ビス、
３６：支持板、          ３７：貫通孔、
３８：補強支柱、        ３９：ビス、
４０：ビス、            ４１：上部のカバー、
４２：シース、          ４３：係合部、
４４：コイルスプリング受け部、
４５：通過部、          ４６：ホルダー
４７：コイルスプリング、４８：接着剤、
４９：熱収縮チューブ、  ５０、５０Ａ：分岐具、
５１：接続光ケーブル、  ５２：収納部、
５３：ＭＵ型簡易フェルール、
５４：ＭＵ型コネクター、５５：接続具、
５６：ベース板、        ５７：ベース板支持部、
５８：ケース体、        ５９：ビス、
６０：カバー体。
【図１】
0004136229.tif 000002
【図２】
0004136229.tif 000003
【図３】
0004136229.tif 000004
【図４】
0004136229.tif 000005
【図５】
0004136229.tif 000006
【図６】
0004136229.tif 000007
【図７】
0004136229.tif 000008
【図８】
0004136229.tif 000009
【図９】
0004136229.tif 000010
【図１０】
0004136229.tif 000011
【図１１】
0004136229.tif 000012
【図１２】
0004136229.tif 000013
【図１３】
0004136229.tif 000014
【図１４】
0004136229.tif 000015
【図１５】
0004136229.tif 000016
【図１６】
0004136229.tif 000017
【図１７】
0004136229.tif 000018
【図１８】
0004136229.tif 000019
【図１９】
0004136229.tif 000020
【図２０】
0004136229.tif 000021
【図２１】
0004136229.tif 000022
【図２２】
0004136229.tif 000023
【図２３】
0004136229.tif 000024
【図２４】
0004136229.tif 000025
【図２５】
0004136229.tif 000026
【図２６】
0004136229.tif 000027
【図２７】
0004136229.tif 000028
【図２８】
0004136229.tif 000029
【図２９】
0004136229.tif 000030
【図３０】
0004136229.tif 000031
【図３１】
0004136229.tif 000032
【図３２】
0004136229.tif 000033
【図３３】
0004136229.tif 000034
【図３４】
0004136229.tif 000035